【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
記録媒体を排出する排出手段と、
前記排出手段から排出された前記記録媒体を積載する積載手段と、
前記積載手段に積載された前記記録媒体に当接することで回動可能な当接手段と、
前記当接手段の回動位置から、前記積載手段に積載された前記記録媒体の積載量を検知する検知手段と、を備えた排出装置であって、
前記当接手段は、
前記記録媒体の搬送方向と直交する回動中心線の周りに回動可能なアーム部と、
前記アーム部に支持された回転体と、を有しており、
前記アーム部の回動中心は、前記記録媒体が排出される排出口より上方に設けられており、
前記アーム部は、前記排出口から排出された前記記録媒体の搬送方向における先端側のエッジと接触する接触部を備え、前記エッジが前記接触部に接触した後、前記記録媒体が搬送されることで、前記記録媒体の表面と接触することなく、上方に回動するように配置されており、
前記記録媒体が第一の記録媒体である場合、前記エッジが前記接触部に接触した後、前記回転体は、前記第一の記録媒体の表面に接触して回転し、
前記記録媒体が、前記記録媒体の搬送方向において前記第一の記録媒体の長さよりも短い長さを備える第二の記録媒体である場合、前記エッジが前記接触部に接触した後、前記回転体は、前記第二の記録媒体の表面に接触しないように配置されている
ことを特徴とする排出装置。
【請求項２】
前記当接手段は、
前記回転体が前記積載手段に積載された前記第一の記録媒体の表面に当接することで回動が規制され、
前記回転体によって、前記積載手段に積載された前記第一の記録媒体を押圧する
ことを特徴とする、請求項１に記載の排出装置。
【請求項３】
前記当接手段は、
前記接触部が前記積載手段に積載された前記第二の記録媒体の搬送方向における先端側のエッジに当接することで回動が規制され、
前記接触部によって、前記積載手段に積載された前記第二の記録媒体を押圧する
ことを特徴とする、請求項１に記載の排出装置。
【請求項４】
前記回転体は、略円筒状の円筒部と、前記円筒部の外周面から径方向に突出し、前記円筒部よりも厚さが薄い歯部と、を有しており、
前記歯部の外周面の一部は、前記アーム部の下面よりも下方に突出している
ことを特徴とする請求項１乃至３のいずれか一項に記載の排出装置。
【請求項５】
請求項１乃至４のいずれか１項に記載の排出装置と、
記録媒体の表面にインクと吐出して画像を記録する記録手段と、を備え、
前記排出装置は、前記記録手段により記録された記録媒体を排出する
ことを特徴とする記録装置。
【手続補正２】
【補正対象書類名】明細書
【補正対象項目名】０００６
【補正方法】変更
【補正の内容】
【０００６】
本発明の排出装置は、記録媒体を排出する排出手段と、前記排出手段から排出された前記記録媒体を積載する積載手段と、前記積載手段に積載された前記記録媒体に当接することで回動可能な当接手段と、前記当接手段の回動位置から、前記積載手段に積載された前記記録媒体の積載量を検知する検知手段と、を備えた排出装置であって、前記当接手段は、前記記録媒体の搬送方向と直交する回動中心線の周りに回動可能なアーム部と、前記アーム部に支持された回転体と、を有しており、前記アーム部の回動中心は、前記記録媒体が排出される排出口より上方に設けられており、前記アーム部は、前記排出口から排出された前記記録媒体の搬送方向における先端側のエッジと接触する接触部を備え、前記エッジが前記接触部に接触した後、前記記録媒体が搬送されることで、前記記録媒体の表面と接触することなく、上方に回動するように配置されており、前記記録媒体が第一の記録媒体である場合、前記エッジが前記接触部に接触した後、前記回転体は、前記第一の記録媒体の表面に接触して回転し、前記記録媒体が、前記記録媒体の搬送方向において前記第一の記録媒体の長さよりも短い長さを備える第二の記録媒体である場合、前記エッジが前記接触部に接触した後、前記回転体は、前記第二の記録媒体の表面に接触しないように配置されていることを特徴とする。
【手続補正３】
【補正対象書類名】明細書
【補正対象項目名】００２７
【補正方法】変更
【補正の内容】
【００２７】
回動アーム５１０は、排出ローラ対５３０によりシートＰが排出される排出口５４０よりも上方に配置された回動軸５１７に回動自在に支持されている。回動軸５１７の回動中心軸５１７ａは、シートＰの搬送方向及び排出トレイ５１１の昇降方向にそれぞれ直交する方向（図示の例では水平方向）に配置されている。このような回動アーム５１０は、アーム部５１３及び回転体としての拍車５１２を有する。
【手続補正４】
【補正対象書類名】明細書
【補正対象項目名】００３９
【補正方法】変更
【補正の内容】
【００３９】
続いて、排出部５０１のシート排出時の動作について説明する。表面に画像が形成されたシートＰは、排出ローラ対５３０により搬送され、排出口５４０から排出される。この際、シートＰの先端が回動アーム５１０のアーム部５１３の一部に当接し、回動アーム５１０が回動する。そして、シートＰが排出トレイ５１１に積載されると、回動アーム５１０が積載されたシートＰに当接する。このとき、回動アーム５１０の回動位置が、第１センサ５１６ａ、５１６ｂにより検知され、ＣＰＵ１１１は、その検知結果に基づいて、トレイモータ５１５を駆動し、排出トレイ５１１を移動させる。
【手続補正５】
【補正対象書類名】明細書
【補正対象項目名】００４６
【補正方法】変更
【補正の内容】
【００４６】
［回動アーム］
次に、当接手段としての回動アーム５１０について、図２を参照しつつ、図５及び図６を用いて更に説明する。本実施形態の回動アーム５１０は、上述のように、アーム部５１３と、回転体としての拍車５１２を有し、アーム部５１３及び拍車５１２が以下の条件を満たすように構成されている。即ち、アーム部５１３の接触部は、排出ローラ対５３０により排出されるシートＰが所定サイズ以下（第二の記録媒体）である場合に、シートＰの端部（排出方向先端）に接触する。一方、拍車５１２は、排出ローラ対５３０により排出されるシートＰが所定サイズよりも大きい（第一の記録媒体である）場合に、シートＰの表面に接触しながら回転する。
【手続補正６】
【補正対象書類名】明細書
【補正対象項目名】００４９
【補正方法】変更
【補正の内容】
【００４９】
一方、排出ローラ対５３０により排出されるシートＰが所定サイズ以下である場合、回動アーム５１０は、シートＰの先端部が回動アーム５１０に接触して、シートＰが更に排出されることで移動するが、排出されたシートＰの少なくとも記録面（画像が記録された表面）は、拍車５１２に接触することなく、排出トレイ５１１に積載される。即ち、これらの条件を満たすように、回動アーム５１０の回動軸５１７の位置、アーム部５１３の長さ、及び、拍車５１２の位置が設定されている。
【手続補正７】
【補正対象書類名】明細書
【補正対象項目名】００５０
【補正方法】変更
【補正の内容】
【００５０】
このような構成を有する回動アーム５１０のシートサイズにおける動作について説明する。図５（ａ）は、所定サイズよりも大きいサイズのシート（第一の記録媒体）Ｐａが排出ローラ対５３０から排出されている場合を示している。シートＰａの排出時には、回動アーム５１０がシートＰａに押されて、図に示すような回動位置となり、拍車５１２がシートＰａの記録面（画像が記録された表面）に当接した状態でシートＰａが排出される。このとき、拍車５１２は、シートＰａの移動に伴って回転している。
【手続補正８】
【補正対象書類名】明細書
【補正対象項目名】００５２
【補正方法】変更
【補正の内容】
【００５２】
一方、図６（ａ）は、所定サイズ以下のシート（第二の記録媒体）Ｐｂが排出ローラ対５３０から排出されている場合を示している。シートＰｂの排出時には、回動アーム５１０のアーム部５１３とシートＰｂの先端部が接触した状態で、シートＰｂが排出される。このとき、シートＰｂは拍車５１２には接触しない。